(57)【特許請求の範囲】
【請求項１】
留め具に備わる釘部を打込み面に打ち込んでその留め具によりケーブルを前記打込み面に固定するように、前記留め具を打ち出す、留め具打込み工具であって、
本体と、前記打込み面に対して前記本体の姿勢を保持するために、その打込み面に当接する姿勢保持部とを備え、
前記本体は、
前記留め具が複数並んで収容される弾装部と、
前記弾装部に収容された前記留め具をその並ぶ一方の方向に送り出す送出し機構と、
前記留め具のうちの送り出される方向の端に位置する留め具を射出口から前記打込み面に向けて打ち出す打撃ドライバと、
前記打撃ドライバのある側に位置するハンドル軸を中心に、回動可能に軸支され、前記打撃ドライバから離れた側に延びて手で操作される操作ハンドルと、
前記操作ハンドルの、前記打込み面側への回動移動に連動して、前記打撃ドライバを前記打込み面から離れた側に移動させ、その回動移動の終端部で、前記打撃ドライバで前記留め具を打ち出すようその打撃ドライバを前記打込み面側に移動させる、連動機構とを、
備え、
前記姿勢保持部は、前記打撃ドライバ側に位置する第１姿勢保持部と、前記打撃ドライバから離れた、前記操作ハンドルの延びる側に位置する第２姿勢保持部とを備え、
前記第１姿勢保持部は、前記本体から前記打込み面側に突出するとともに、前記ケーブルを跨いで前記打込み面に当接するよう前記ケーブルを受け入れる凹部を有し、
前記第２姿勢保持部は、前記本体から前記打込み面側に突出するとともに、その第２姿勢保持部は、前記本体が、前記打撃ドライバ側よりも前記操作ハンドルの延びる側が前記打込み面から離間した傾斜姿勢となるよう、前記第１姿勢保持部よりも突出し、かつ、
前記第２姿勢保持部は、回動させる前記操作ハンドルの手が載る中央位置よりも、前記操作ハンドルの延びる側となる後ろ側に位置し、また、
前記ケーブルよりも横断面が小さい外形の小ケーブルに対応できるように、その小ケーブルを挟む一対の突設部を有して、それら突設部が前記第１姿勢保持部の凹部の幅を狭めるように配置されるアタッチメントを備え、
前記アタッチメントは、前記突設部の先端が前記第１姿勢保持部の先端と同一面から前記小ケーブルの高さの半分までの範囲内の高さに位置するように、前記本体に固定可能である、留め具打込み工具。
【請求項２】
留め具に備わる釘部を打込み面に打ち込んでその留め具によりケーブルを前記打込み面に固定するように、前記留め具を打ち出す、留め具打込み工具であって、
本体と、前記打込み面に対して前記本体の姿勢を保持するために、その打込み面に当接する姿勢保持部とを備え、
前記本体は、
前記留め具が複数並んで収容される弾装部と、
前記弾装部に収容された前記留め具をその並ぶ一方の方向に送り出す送出し機構と、
前記留め具のうちの送り出される方向の端に位置する留め具を射出口から前記打込み面に向けて打ち出す打撃ドライバと、
前記打撃ドライバのある側に位置するハンドル軸を中心に、回動可能に軸支され、前記打撃ドライバから離れた側に延びて手で操作される操作ハンドルと、
前記操作ハンドルの、前記打込み面側への回動移動に連動して、前記打撃ドライバを前記打込み面から離れた側に移動させ、その回動移動の終端部で、前記打撃ドライバで前記留め具を打ち出すようその打撃ドライバを前記打込み面側に移動させる、連動機構とを、
備え、
前記姿勢保持部は、前記打撃ドライバ側に位置する第１姿勢保持部と、前記打撃ドライバから離れた、前記操作ハンドルの延びる側に位置する第２姿勢保持部とを備え、
前記第１姿勢保持部は、前記本体から前記打込み面側に突出するとともに、前記ケーブルを跨いで前記打込み面に当接するよう前記ケーブルを受け入れる凹部を有し、
前記第２姿勢保持部は、前記本体から前記打込み面側に突出するとともに、その第２姿勢保持部は、前記本体が、前記打撃ドライバ側よりも前記操作ハンドルの延びる側が前記打込み面から離間した傾斜姿勢となるよう、前記第１姿勢保持部よりも突出し、かつ、
前記第２姿勢保持部は、前記操作ハンドルを押圧して前記打込み面側へと回動移動させる際に、前記傾斜姿勢を維持する位置に設けられ、また、
前記ケーブルよりも横断面が小さい外形の小ケーブルに対応できるように、その小ケーブルを挟む一対の突設部を有して、それら突設部が前記第１姿勢保持部の凹部の幅を狭めるように配置されるアタッチメントを備え、
前記アタッチメントは、前記突設部の先端が前記第１姿勢保持部の先端と同一面から前記小ケーブルの高さの半分までの範囲内の高さに位置するように、前記本体に固定可能である、留め具打込み工具。
【請求項３】
留め具に備わる釘部を打込み面に打ち込んでその留め具によりケーブルを前記打込み面に固定するように、前記留め具を打ち出す、留め具打込み工具であって、
本体と、前記打込み面に対して前記本体の姿勢を保持するために、その打込み面に当接する姿勢保持部とを備え、
前記本体は、
前記留め具が複数並んで収容される弾装部と、
前記弾装部に収容された前記留め具をその並ぶ一方の方向に送り出す送出し機構と、
前記留め具のうちの送り出される方向の端に位置する留め具を射出口から前記打込み面に向けて打ち出す打撃ドライバと、
前記打撃ドライバのある側に位置するハンドル軸を中心に、回動可能に軸支され、前記打撃ドライバから離れた側に延びて手で操作される操作ハンドルと、
前記操作ハンドルの、前記打込み面側への回動移動に連動して、前記打撃ドライバを前記打込み面から離れた側に移動させ、その回動移動の終端部で、前記打撃ドライバで前記留め具を打ち出すようその打撃ドライバを前記打込み面側に移動させる、連動機構とを、
備え、
前記姿勢保持部は、前記打撃ドライバ側に位置する第１姿勢保持部と、前記打撃ドライバから離れた、前記操作ハンドルの延びる側に位置する第２姿勢保持部とを備え、
前記第１姿勢保持部は、前記本体から前記打込み面側に突出するとともに、前記ケーブルを跨いで前記打込み面に当接するよう前記ケーブルを受け入れる凹部を有し、
前記第２姿勢保持部は、前記本体から前記打込み面側に突出するとともに、その第２姿勢保持部は、前記本体が、前記打撃ドライバ側よりも前記操作ハンドルの延びる側が前記打込み面から離間した傾斜姿勢となるよう、前記第１姿勢保持部よりも突出し、かつ、
前記第２姿勢保持部は、前記操作ハンドルを押圧して前記打込み面側へと回動移動させる際に、前記傾斜姿勢を維持する位置に設けられ、また、
前記ケーブルよりも横断面が小さい外形の小ケーブルに対応できるように、その小ケーブルを挟む一対の突設部を有して、それら突設部が前記第１姿勢保持部の凹部の幅を狭めるように配置されるアタッチメントを備え、
前記凹部に受け入れられた前記ケーブルを固定する場合、および、前記アタッチメントにより前記凹部の幅を狭めて前記小ケーブルを固定する場合の、いずれの場合にも、前記第１姿勢保持部および前記第２姿勢保持部が、前記打込み面に当接する、留め具打込み工具。
【請求項４】
留め具に備わる釘部を打込み面に打ち込んでその留め具によりケーブルを前記打込み面に固定するように、前記留め具を打ち出す、留め具打込み工具であって、
本体と、前記打込み面に対して前記本体の姿勢を保持するために、その打込み面に当接する姿勢保持部とを備え、
前記本体は、
前記留め具が複数並んで収容される弾装部と、
前記弾装部に収容された前記留め具をその並ぶ一方の方向に送り出す送出し機構と、
前記留め具のうちの送り出される方向の端に位置する留め具を射出口から前記打込み面に向けて打ち出す打撃ドライバと、
前記打撃ドライバのある側に位置するハンドル軸を中心に、回動可能に軸支され、前記打撃ドライバから離れた側に延びて手で操作される操作ハンドルと、
前記操作ハンドルの、前記打込み面側への回動移動に連動して、前記打撃ドライバを前記打込み面から離れた側に移動させ、その回動移動の終端部で、前記打撃ドライバで前記留め具を打ち出すようその打撃ドライバを前記打込み面側に移動させる、連動機構とを、
備え、
前記姿勢保持部は、前記打撃ドライバ側に位置する第１姿勢保持部と、前記打撃ドライバから離れた、前記操作ハンドルの延びる側に位置する第２姿勢保持部とを備え、
前記第１姿勢保持部は、前記本体から前記打込み面側に突出するとともに、前記ケーブルを跨いで前記打込み面に当接するよう前記ケーブルを受け入れる凹部を有し、
前記第２姿勢保持部は、前記本体から前記打込み面側に突出するとともに、その第２姿勢保持部は、前記本体が、前記打撃ドライバ側よりも前記操作ハンドルの延びる側が前記打込み面から離間した傾斜姿勢となるよう、前記第１姿勢保持部よりも突出し、また、
前記第１姿勢保持部と前記第２姿勢保持部とは、少なくとも、それら第１姿勢保持部と第２姿勢保持部との間の中央位置より第２姿勢保持部側において、前記本体と前記打込み面との間に、先に打ち込まれて前記ケーブルを固定している留め具を受け入れる間隔を有するように形成され、また、
前記ケーブルよりも横断面が小さい外形の小ケーブルに対応できるように、前記第１姿勢保持部よりも前記打込み面側に突出することなく、前記第１姿勢保持部の凹部の幅を狭めるように配置されるアタッチメントを備える、留め具打込み工具。
【請求項５】
前記第１姿勢保持部の凹部の底面は、前記ケーブルを前記打込み面側に抑え込む抑え込み面となっている、請求項１ないし４のいずれか１項に記載の留め具打込み工具。
【請求項６】
前記第２姿勢保持部は、前記ケーブルを跨いで前記打込み面に当接するよう前記ケーブルを受け入れる凹部を有する、請求項１ないし５のいずれか１項に記載の留め具打込み工具。
【請求項７】
留め具に備わる釘部を打込み面に打ち込んでその留め具によりケーブルを前記打込み面に固定するように、前記留め具を打ち出す、留め具打込み工具であって、
本体と、前記打込み面に対して前記本体の姿勢を保持するために、その打込み面に当接する姿勢保持部とを備え、
前記本体は、
前記留め具が複数並んで収容される弾装部と、
前記弾装部に収容された前記留め具をその並ぶ一方の方向に送り出す送出し機構と、
前記留め具のうちの送り出される方向の端に位置する留め具を射出口から前記打込み面に向けて打ち出す打撃ドライバと、
前記打撃ドライバのある側に位置するハンドル軸を中心に、回動可能に軸支され、前記打撃ドライバから離れた側に延びて手で操作される操作ハンドルと、
前記操作ハンドルの、前記打込み面側への回動移動に連動して、前記打撃ドライバを前記打込み面から離れた側に移動させ、その回動移動の終端部で、前記打撃ドライバで前記留め具を打ち出すようその打撃ドライバを前記打込み面側に移動させる、連動機構とを、
備え、
前記姿勢保持部は、前記打撃ドライバ側に位置する第１姿勢保持部と、前記打撃ドライバから離れた、前記操作ハンドルの延びる側に位置する第２姿勢保持部とを備え、
前記第１姿勢保持部は、前記本体から前記打込み面側に突出するとともに、前記ケーブルを跨いで前記打込み面に当接するよう前記ケーブルを受け入れる凹部を有し、
前記第２姿勢保持部は、前記本体から前記打込み面側に突出するとともに、その第２姿勢保持部は、前記本体が、前記打撃ドライバ側よりも前記操作ハンドルの延びる側が前記打込み面から離間した傾斜姿勢となるよう、前記第１姿勢保持部よりも突出し、また、
前記第２姿勢保持部は、前記ケーブルを跨いで前記打込み面に当接するよう前記ケーブルを受け入れる凹部を有し、
前記第２姿勢保持部の凹部の幅は、前記第１姿勢保持部の凹部の幅よりも大きく形成され、また、
前記ケーブルよりも横断面が小さい外形の小ケーブルに対応できるように、前記第１姿勢保持部よりも前記打込み面側に突出することなく、前記第１姿勢保持部の凹部の幅を狭めるように配置されるアタッチメントを備える、留め具打込み工具。
【請求項８】
前記第２姿勢保持部の凹部の底面は、前記ケーブルを前記打込み面側に抑え込む抑え込み面となっている、請求項６または７に記載の留め具打込み工具。
【請求項９】
請求項１ないし８のいずれか１項に記載の留め具打込み工具と、複数の留め具とからなる、留め具打込み装置であって、
前記留め具は、前記釘部を有する金属製の釘体と、合成樹脂製の基体とを備えて、複数の前記留め具が、前記基体部分で、分断可能な結合部により連結された、留め具集合体となっており、
前記釘体は、相対向位置する一対の前記釘部と、それら釘部を一端で繋ぐ連設部とからなって、略コ字状に形成され、
前記基体は、相対向位置して内部が前記釘部が挿入される挿入部となる一対の筒部と、それら筒部を、前記連設部のある側で繋ぐ繋ぎ部とを備え、その繋ぎ部と前記打込み面との間の前記筒部間が、前記ケーブルが通る配置空間となり、
前記釘体は、その釘部を前記筒部に挿入して、前記連設部が前記繋ぎ部に当接したときの、前記筒部からの前記釘部の突出高さが、その釘部が突出する筒部の先端から前記連設部が前記繋ぎ部に当接する面までの高さ以上であり、
前記結合部は、前記繋ぎ部に設けられた第１結合部と、一対の前記筒部におけるそれら筒部の先端から前記配置空間の高さの半分の位置までの所要の位置に設けられた第２結合部とを備える、留め具打込み装置。
【請求項１０】
前記送出し機構は、前記留め具集合体を送り出す方向へと付勢する付勢手段と、その付勢手段に抗して、前記留め具集合体をその送り出す方向の先端で止めるストッパー面とを備え、
前記ストッパー面には、前記結合部の分断部分を逃がす逃がし部が設けられる、請求項９に記載の留め具打込み装置。
【発明の詳細な説明】
【技術分野】
【０００１】
この発明は、留め具を打ち出す、留め具打込み工具、および留め具打込み装置に関するものである。
【背景技術】
【０００２】
従来、圧縮バネの弾発力を利用してステープルを打込み対象に打ち込む手動タッカがあった（例えば、特許文献１参照）。図１３に示すように、この手動タッカ２１は、ハンドル２２を下方に向けて操作すると、その下端で、圧縮バネ２３に押圧されたブランジャ２４が下向きに急速移動した。そして、そのプランジャ２４の急速移動に伴い、そのプランジャ２４と一体となったドライバ２５によって、ステープル（図示せず）が打出し口２６から打ち出された。
【先行技術文献】
【特許文献】
【０００３】
【特許文献１】特公昭５７−５７２３５号公報
【発明の概要】
【発明が解決しようとする課題】
【０００４】
ところで、前記従来の手動タッカ２１（留め具打込み工具）においては、ステープル（留め具）を打ち出したとき、その反動で、手動タッカ２１の打出し口２６（射出口）側が打込み対象（打込み面）から跳ね上がり、ステープルをしっかりと打ち込むことができない虞があった。
【０００５】
この発明は、上記した従来の欠点を解決するためになされたものであり、その目的とするところは、留め具打込み工具の跳ね上がりを抑えて、留め具を打込み面にしっかりと打ち込むことができる、留め具打込み工具、および留め具打込み装置を提供することにある。
【課題を解決するための手段】
【０００６】
この発明に係る留め具打込み工具、および留め具打込み装置は、前記目的を達成するために、次の構成からなる。すなわち、
請求項１に記載の発明に係る留め具打込み工具は、留め具に備わる釘部を打込み面に打ち込んでその留め具によりケーブルを前記打込み面に固定するように、前記留め具を打ち出す、打込み工具である。この留め具打込み工具は、本体と、前記打込み面に対して前記本体の姿勢を保持するために、その打込み面に当接する姿勢保持部とを備える。ここで、前記本体は、弾装部と、送出し機構と、打撃ドライバと、操作ハンドルと、連動機構とを備える。弾装部は、前記留め具が複数並んで収容されるものであり、送出し機構は、前記弾装部に収容された前記留め具をその並ぶ一方の方向に送り出すものである。打撃ドライバは、前記留め具のうちの送り出される方向の端に位置する留め具を射出口から前記打込み面に向けて打ち出すものである。操作ハンドルは、前記打撃ドライバのある側に位置するハンドル軸を中心に、回動可能に軸支され、前記打撃ドライバから離れた側に延びて手で操作されるものである。連動機構は、前記操作ハンドルの、前記打込み面側への回動移動に連動して、前記打撃ドライバを前記打込み面から離れた側に移動させ、その回動移動の終端部で、前記打撃ドライバで前記留め具を打ち出すようその打撃ドライバを前記打込み面側に移動させるものである。そして、前記姿勢保持部は、前記打撃ドライバ側に位置する第１姿勢保持部と、前記打撃ドライバから離れた、前記操作ハンドルの延びる側に位置する第２姿勢保持部とを備える。そこで、前記第１姿勢保持部は、前記本体から前記打込み面側に突出するとともに、前記ケーブルを跨いで前記打込み面に当接するよう前記ケーブルを受け入れる凹部を有する。前記第２姿勢保持部は、前記本体から前記打込み面側に突出するとともに、その第２姿勢保持部は、前記本体が、前記打撃ドライバ側よりも前記操作ハンドルの延びる側が前記打込み面から離間した傾斜姿勢となるよう、前記第１姿勢保持部よりも突出している。そして、前記第２姿勢保持部は、回動させる前記操作ハンドルの手が載る中央位置よりも、前記操作ハンドルの延びる側となる後ろ側に位置する。また、留め具打込み工具は、前記ケーブルよりも横断面が小さい外形の小ケーブルに対応できるように、その小ケーブルを挟む一対の突設部を有して、それら突設部が前記第１姿勢保持部の凹部の幅を狭めるように配置されるアタッチメントを備える。そして、このアタッチメントは、前記突設部の先端が前記第１姿勢保持部の先端と同一面から前記小ケーブルの高さの半分までの範囲内の高さに位置するように、前記本体に固定可能である。
【０００７】
この留め具打込み工具によると、操作ハンドルは、打撃ドライバのある側が、ハンドル軸となって、打撃ドライバから離れた側に延びている。そこで、操作ハンドルを手で打込み面側に回動移動させると、連動機構により、打撃ドライバは、打込み面から離れた側に移動する。そして、操作ハンドルの打込み面側への回動移動の終端部で、打撃ドライバは、留め具を打ち出すよう打込み面側に移動する。こうして、留め具は、射出口から打ち出され、その釘部が打込み面に打ち込まれ、その留め具によって、ケーブルが打込み面に固定される。ここで、留め具打込み工具は、本体の姿勢を保持するために打込み面に当接する姿勢保持部を備えており、この姿勢保持部により、打撃ドライバ側よりも操作ハンドルの延びる側が打込み面から離間した傾斜姿勢となり、操作ハンドルに掛けた手の位置が、射出口の直上側に寄る。このため、留め具を打込み面に打ち込んだときの反動に抗して、手で、この留め具打込み工具を打込み面に強く押し付けることができる。また、アタッチメントを、第１姿勢保持部の凹部の幅を狭めるように配置することで、横断面の小さい小ケーブルを的確に打込み面に固定することができ、また、アタッチメントを用いない状態では、小ケーブルよりも横断面の大きなケーブルを打込み面に固定することができる。
【０００８】
また、請求項２に記載の発明に係る留め具打込み工具は、留め具に備わる釘部を打込み面に打ち込んでその留め具によりケーブルを前記打込み面に固定するように、前記留め具を打ち出す、打込み工具である。この留め具打込み工具は、本体と、前記打込み面に対して前記本体の姿勢を保持するために、その打込み面に当接する姿勢保持部とを備える。ここで、前記本体は、弾装部と、送出し機構と、打撃ドライバと、操作ハンドルと、連動機構とを備える。弾装部は、前記留め具が複数並んで収容されるものであり、送出し機構は、前記弾装部に収容された前記留め具をその並ぶ一方の方向に送り出すものである。打撃ドライバは、前記留め具のうちの送り出される方向の端に位置する留め具を射出口から前記打込み面に向けて打ち出すものである。操作ハンドルは、前記打撃ドライバのある側に位置するハンドル軸を中心に、回動可能に軸支され、前記打撃ドライバから離れた側に延びて手で操作されるものである。連動機構は、前記操作ハンドルの、前記打込み面側への回動移動に連動して、前記打撃ドライバを前記打込み面から離れた側に移動させ、その回動移動の終端部で、前記打撃ドライバで前記留め具を打ち出すようその打撃ドライバを前記打込み面側に移動させるものである。そして、前記姿勢保持部は、前記打撃ドライバ側に位置する第１姿勢保持部と、前記打撃ドライバから離れた、前記操作ハンドルの延びる側に位置する第２姿勢保持部とを備える。そこで、前記第１姿勢保持部は、前記本体から前記打込み面側に突出するとともに、前記ケーブルを跨いで前記打込み面に当接するよう前記ケーブルを受け入れる凹部を有する。前記第２姿勢保持部は、前記本体から前記打込み面側に突出するとともに、その第２姿勢保持部は、前記本体が、前記打撃ドライバ側よりも前記操作ハンドルの延びる側が前記打込み面から離間した傾斜姿勢となるよう、前記第１姿勢保持部よりも突出している。そして、前記第２姿勢保持部は、前記操作ハンドルを押圧して前記打込み面側へと回動移動させる際に、前記傾斜姿勢を維持する位置に設けられる。また、留め具打込み工具は、前記ケーブルよりも横断面が小さい外形の小ケーブルに対応できるように、その小ケーブルを挟む一対の突設部を有して、それら突設部が前記第１姿勢保持部の凹部の幅を狭めるように配置されるアタッチメントを備える。そして、このアタッチメントは、前記突設部の先端が前記第１姿勢保持部の先端と同一面から前記小ケーブルの高さの半分までの範囲内の高さに位置するように、前記本体に固定可能である。
【０００９】
この留め具打込み工具によると、操作ハンドルは、打撃ドライバのある側が、ハンドル軸となって、打撃ドライバから離れた側に延びている。そこで、操作ハンドルを手で打込み面側に回動移動させると、連動機構により、打撃ドライバは、打込み面から離れた側に移動する。そして、操作ハンドルの打込み面側への回動移動の終端部で、打撃ドライバは、留め具を打ち出すよう打込み面側に移動する。こうして、留め具は、射出口から打ち出され、その釘部が打込み面に打ち込まれ、その留め具によって、ケーブルが打込み面に固定される。ここで、留め具打込み工具は、本体の姿勢を保持するために打込み面に当接する姿勢保持部を備えており、この姿勢保持部により、打撃ドライバ側よりも操作ハンドルの延びる側が打込み面から離間した傾斜姿勢となり、操作ハンドルに掛けた手の位置が、射出口の直上側に寄る。このため、留め具を打込み面に打ち込んだときの反動に抗して、手で、この留め具打込み工具を打込み面に強く押し付けることができる。また、アタッチメントを、第１姿勢保持部の凹部の幅を狭めるように配置することで、横断面の小さい小ケーブルを的確に打込み面に固定することができ、また、アタッチメントを用いない状態では、小ケーブルよりも横断面の大きなケーブルを打込み面に固定することができる。
【００１０】
また、請求項３に記載の発明に係る留め具打込み工具は、留め具に備わる釘部を打込み面に打ち込んでその留め具によりケーブルを前記打込み面に固定するように、前記留め具を打ち出す、打込み工具である。この留め具打込み工具は、本体と、前記打込み面に対して前記本体の姿勢を保持するために、その打込み面に当接する姿勢保持部とを備える。ここで、前記本体は、弾装部と、送出し機構と、打撃ドライバと、操作ハンドルと、連動機構とを備える。弾装部は、前記留め具が複数並んで収容されるものであり、送出し機構は、前記弾装部に収容された前記留め具をその並ぶ一方の方向に送り出すものである。打撃ドライバは、前記留め具のうちの送り出される方向の端に位置する留め具を射出口から前記打込み面に向けて打ち出すものである。操作ハンドルは、前記打撃ドライバのある側に位置するハンドル軸を中心に、回動可能に軸支され、前記打撃ドライバから離れた側に延びて手で操作されるものである。連動機構は、前記操作ハンドルの、前記打込み面側への回動移動に連動して、前記打撃ドライバを前記打込み面から離れた側に移動させ、その回動移動の終端部で、前記打撃ドライバで前記留め具を打ち出すようその打撃ドライバを前記打込み面側に移動させるものである。そして、前記姿勢保持部は、前記打撃ドライバ側に位置する第１姿勢保持部と、前記打撃ドライバから離れた、前記操作ハンドルの延びる側に位置する第２姿勢保持部とを備える。そこで、前記第１姿勢保持部は、前記本体から前記打込み面側に突出するとともに、前記ケーブルを跨いで前記打込み面に当接するよう前記ケーブルを受け入れる凹部を有する。前記第２姿勢保持部は、前記本体から前記打込み面側に突出するとともに、その第２姿勢保持部は、前記本体が、前記打撃ドライバ側よりも前記操作ハンドルの延びる側が前記打込み面から離間した傾斜姿勢となるよう、前記第１姿勢保持部よりも突出している。そして、前記第２姿勢保持部は、前記操作ハンドルを押圧して前記打込み面側へと回動移動させる際に、前記傾斜姿勢を維持する位置に設けられる。また、留め具打込み工具は、前記ケーブルよりも横断面が小さい外形の小ケーブルに対応できるように、その小ケーブルを挟む一対の突設部を有して、それら突設部が前記第１姿勢保持部の凹部の幅を狭めるように配置されるアタッチメントを備える。そして、前記凹部に受け入れられた前記ケーブルを固定する場合、および、前記アタッチメントにより前記凹部の幅を狭めて前記小ケーブルを固定する場合の、いずれの場合にも、前記第１姿勢保持部および前記第２姿勢保持部が、前記打込み面に当接する。
【００１１】
この留め具打込み工具によると、操作ハンドルは、打撃ドライバのある側が、ハンドル軸となって、打撃ドライバから離れた側に延びている。そこで、操作ハンドルを手で打込み面側に回動移動させると、連動機構により、打撃ドライバは、打込み面から離れた側に移動する。そして、操作ハンドルの打込み面側への回動移動の終端部で、打撃ドライバは、留め具を打ち出すよう打込み面側に移動する。こうして、留め具は、射出口から打ち出され、その釘部が打込み面に打ち込まれ、その留め具によって、ケーブルが打込み面に固定される。ここで、留め具打込み工具は、本体の姿勢を保持するために打込み面に当接する姿勢保持部を備えており、この姿勢保持部により、打撃ドライバ側よりも操作ハンドルの延びる側が打込み面から離間した傾斜姿勢となり、操作ハンドルに掛けた手の位置が、射出口の直上側に寄る。このため、留め具を打込み面に打ち込んだときの反動に抗して、手で、この留め具打込み工具を打込み面に強く押し付けることができる。また、アタッチメントを、第１姿勢保持部の凹部の幅を狭めるように配置することで、横断面の小さい小ケーブルを的確に打込み面に固定することができ、また、アタッチメントを用いない状態では、小ケーブルよりも横断面の大きなケーブルを打込み面に固定することができる。
【００１２】
また、請求項４に記載の発明に係る留め具打込み工具は、留め具に備わる釘部を打込み面に打ち込んでその留め具によりケーブルを前記打込み面に固定するように、前記留め具を打ち出す、打込み工具である。この留め具打込み工具は、本体と、前記打込み面に対して前記本体の姿勢を保持するために、その打込み面に当接する姿勢保持部とを備える。ここで、前記本体は、弾装部と、送出し機構と、打撃ドライバと、操作ハンドルと、連動機構とを備える。弾装部は、前記留め具が複数並んで収容されるものであり、送出し機構は、前記弾装部に収容された前記留め具をその並ぶ一方の方向に送り出すものである。打撃ドライバは、前記留め具のうちの送り出される方向の端に位置する留め具を射出口から前記打込み面に向けて打ち出すものである。操作ハンドルは、前記打撃ドライバのある側に位置するハンドル軸を中心に、回動可能に軸支され、前記打撃ドライバから離れた側に延びて手で操作されるものである。連動機構は、前記操作ハンドルの、前記打込み面側への回動移動に連動して、前記打撃ドライバを前記打込み面から離れた側に移動させ、その回動移動の終端部で、前記打撃ドライバで前記留め具を打ち出すようその打撃ドライバを前記打込み面側に移動させるものである。そして、前記姿勢保持部は、前記打撃ドライバ側に位置する第１姿勢保持部と、前記打撃ドライバから離れた、前記操作ハンドルの延びる側に位置する第２姿勢保持部とを備える。そこで、前記第１姿勢保持部は、前記本体から前記打込み面側に突出するとともに、前記ケーブルを跨いで前記打込み面に当接するよう前記ケーブルを受け入れる凹部を有する。そして、前記第２姿勢保持部は、前記本体から前記打込み面側に突出するとともに、その第２姿勢保持部は、前記本体が、前記打撃ドライバ側よりも前記操作ハンドルの延びる側が前記打込み面から離間した傾斜姿勢となるよう、前記第１姿勢保持部よりも突出している。そして、前記第１姿勢保持部と前記第２姿勢保持部とは、少なくとも、それら第１姿勢保持部と第２姿勢保持部との間の中央位置より第２姿勢保持部側において、前記本体と前記打込み面との間に、先に打ち込まれて前記ケーブルを固定している留め具を受け入れる間隔を有するように形成される。また、留め具打込み工具は、前記ケーブルよりも横断面が小さい外形の小ケーブルに対応できるように、前記第１姿勢保持部よりも前記打込み面側に突出することなく、前記第１姿勢保持部の凹部の幅を狭めるように配置されるアタッチメントを備える。
この留め具打込み工具によると、操作ハンドルは、打撃ドライバのある側が、ハンドル軸となって、打撃ドライバから離れた側に延びている。そこで、操作ハンドルを手で打込み面側に回動移動させると、連動機構により、打撃ドライバは、打込み面から離れた側に移動する。そして、操作ハンドルの打込み面側への回動移動の終端部で、打撃ドライバは、留め具を打ち出すよう打込み面側に移動する。こうして、留め具は、射出口から打ち出され、その釘部が打込み面に打ち込まれ、その留め具によって、ケーブルが打込み面に固定される。ここで、留め具打込み工具は、本体の姿勢を保持するために打込み面に当接する姿勢保持部を備えており、この姿勢保持部により、打撃ドライバ側よりも操作ハンドルの延びる側が打込み面から離間した傾斜姿勢となり、操作ハンドルに掛けた手の位置が、射出口の直上側に寄る。このため、留め具を打込み面に打ち込んだときの反動に抗して、手で、この留め具打込み工具を打込み面に強く押し付けることができる。また、アタッチメントを、第１姿勢保持部の凹部の幅を狭めるように配置することで、横断面の小さい小ケーブルを的確に打込み面に固定することができ、また、アタッチメントを用いない状態では、小ケーブルよりも横断面の大きなケーブルを打込み面に固定することができる。
【００１３】
また、請求項５に記載の発明に係る留め具打込み工具は、請求項１ないし４のいずれか１項に記載の留め具打込み工具において、前記第１姿勢保持部の凹部の底面は、前記ケーブルを前記打込み面側に抑え込む抑え込み面となっている。
【００１４】
また、請求項６に記載の発明に係る留め具打込み工具は、請求項１ないし５のいずれか１項に記載の留め具打込み工具において、前記第２姿勢保持部は、前記ケーブルを跨いで前記打込み面に当接するよう前記ケーブルを受け入れる凹部を有する。こうして、第１姿勢保持部だけでなく、第２姿勢保持部が、ケーブルを跨いで打込み面に当接することで、打込み面に対する本体の姿勢を安定させることができる。
【００１５】
また、請求項７に記載の発明に係る留め具打込み工具は、留め具に備わる釘部を打込み面に打ち込んでその留め具によりケーブルを前記打込み面に固定するように、前記留め具を打ち出す、打込み工具である。この留め具打込み工具は、本体と、前記打込み面に対して前記本体の姿勢を保持するために、その打込み面に当接する姿勢保持部とを備える。ここで、前記本体は、弾装部と、送出し機構と、打撃ドライバと、操作ハンドルと、連動機構とを備える。弾装部は、前記留め具が複数並んで収容されるものであり、送出し機構は、前記弾装部に収容された前記留め具をその並ぶ一方の方向に送り出すものである。打撃ドライバは、前記留め具のうちの送り出される方向の端に位置する留め具を射出口から前記打込み面に向けて打ち出すものである。操作ハンドルは、前記打撃ドライバのある側に位置するハンドル軸を中心に、回動可能に軸支され、前記打撃ドライバから離れた側に延びて手で操作されるものである。連動機構は、前記操作ハンドルの、前記打込み面側への回動移動に連動して、前記打撃ドライバを前記打込み面から離れた側に移動させ、その回動移動の終端部で、前記打撃ドライバで前記留め具を打ち出すようその打撃ドライバを前記打込み面側に移動させるものである。そして、前記姿勢保持部は、前記打撃ドライバ側に位置する第１姿勢保持部と、前記打撃ドライバから離れた、前記操作ハンドルの延びる側に位置する第２姿勢保持部とを備える。そこで、前記第１姿勢保持部は、前記本体から前記打込み面側に突出するとともに、前記ケーブルを跨いで前記打込み面に当接するよう前記ケーブルを受け入れる凹部を有する。そして、前記第２姿勢保持部は、前記本体から前記打込み面側に突出するとともに、その第２姿勢保持部は、前記本体が、前記打撃ドライバ側よりも前記操作ハンドルの延びる側が前記打込み面から離間した傾斜姿勢となるよう、前記第１姿勢保持部よりも突出している。また、前記第２姿勢保持部は、前記ケーブルを跨いで前記打込み面に当接するよう前記ケーブルを受け入れる凹部を有する。そして、前記第２姿勢保持部の凹部の幅は、前記第１姿勢保持部の凹部の幅よりも大きく形成される。また、留め具打込み工具は、前記ケーブルよりも横断面が小さい外形の小ケーブルに対応できるように、前記第１姿勢保持部よりも前記打込み面側に突出することなく、前記第１姿勢保持部の凹部の幅を狭めるように配置されるアタッチメントを備える。
この留め具打込み工具によると、操作ハンドルは、打撃ドライバのある側が、ハンドル軸となって、打撃ドライバから離れた側に延びている。そこで、操作ハンドルを手で打込み面側に回動移動させると、連動機構により、打撃ドライバは、打込み面から離れた側に移動する。そして、操作ハンドルの打込み面側への回動移動の終端部で、打撃ドライバは、留め具を打ち出すよう打込み面側に移動する。こうして、留め具は、射出口から打ち出され、その釘部が打込み面に打ち込まれ、その留め具によって、ケーブルが打込み面に固定される。ここで、留め具打込み工具は、本体の姿勢を保持するために打込み面に当接する姿勢保持部を備えており、この姿勢保持部により、打撃ドライバ側よりも操作ハンドルの延びる側が打込み面から離間した傾斜姿勢となり、操作ハンドルに掛けた手の位置が、射出口の直上側に寄る。このため、留め具を打込み面に打ち込んだときの反動に抗して、手で、この留め具打込み工具を打込み面に強く押し付けることができる。また、第１姿勢保持部だけでなく、第２姿勢保持部が、ケーブルを跨いで打込み面に当接することで、打込み面に対する本体の姿勢を安定させることができる。そして、第２姿勢保持部の凹部の幅は、前記第１姿勢保持部の凹部の幅よりも大きく形成されることから、第２姿勢保持部は、ケーブルの曲がり癖に対して、幅をもって対応することができる。また、アタッチメントを、第１姿勢保持部の凹部の幅を狭めるように配置することで、横断面の小さい小ケーブルを的確に打込み面に固定することができ、また、アタッチメントを用いない状態では、小ケーブルよりも横断面の大きなケーブルを打込み面に固定することができる。
【００１６】
また、請求項８に記載の発明に係る留め具打込み工具は、請求項６または７に記載の留め具打込み工具において、前記第２姿勢保持部の凹部の底面は、前記ケーブルを前記打込み面側に抑え込む抑え込み面となっている。
【００１７】
【００１８】
また、請求項９に記載の発明に係る留め具打込み装置は、請求項１ないし８のいずれか１項に記載の留め具打込み工具と、複数の前記留め具とからなる。前記留め具は、前記釘部を有する金属製の釘体と、合成樹脂製の基体とを備えて、複数の前記留め具が、前記基体部分で、分断可能な結合部により連結された、留め具集合体となっている。前記釘体は、相対向位置する一対の前記釘部と、それら釘部を一端で繋ぐ連設部とからなって、略コ字状に形成される。前記基体は、相対向位置して内部が前記釘部が挿入される挿入部となる一対の筒部と、それら筒部を、前記連設部のある側で繋ぐ繋ぎ部とを備え、その繋ぎ部と前記打込み面との間の前記筒部間が、前記ケーブルが通る配置空間となる。そこで、前記釘体は、その釘部を前記筒部に挿入して、前記連設部が前記繋ぎ部に当接したときの、前記筒部からの前記釘部の突出高さが、その釘部が突出する筒部の先端から前記連設部が前記繋ぎ部に当接する面までの高さ以上である。また、前記結合部は、前記繋ぎ部に設けられた第１結合部と、一対の前記筒部におけるそれら筒部の先端から前記配置空間の高さの半分の位置までの所要の位置に設けられた第２結合部とを備える。
【００１９】
また、請求項１０に記載の発明に係る留め具打込み装置は、請求項９に記載の留め具打込み装置において、前記送出し機構は、前記留め具集合体を送り出す方向へと付勢する付勢手段と、その付勢手段に抗して、前記留め具集合体をその送り出す方向の先端で止めるストッパー面とを備える。そこで、前記ストッパー面には、前記結合部の分断部分を逃がす逃がし部が設けられる。
【発明の効果】
【００２０】
この発明に係る留め具打込み工具、および留め具打込み装置によれば、姿勢保持部により、操作ハンドルに掛けた手の位置を、射出口の直上側に寄らせることで、手で、この留め具打込み工具を打込み面に強く押し付けることができ、反動による留め具打込み工具の跳ね上がりを抑えて、留め具を打込み面にしっかりと打ち込むことができる。
【図面の簡単な説明】
【００２１】
【図１】この発明の一実施の形態の、操作ハンドルが打込み面から離れた側にあるときの、留め具打込み装置の断面図である。
【図２】同じく、操作ハンドルを打込み面側へと回動移動させていく途中の、留め具打込み装置の断面図である。
【図３】同じく、操作ハンドルを打込み面側へと回動移動させた終端部での、打撃ドライバが打ち出される前の、留め具打込み装置の断面図である。
【図４】同じく、操作ハンドルを打込み面側へと回動移動させた終端部での、打撃ドライバが打ち出された後の、留め具打込み装置の断面図である。
【図５】同じく、留め具打込み装置の斜視図である。
【図６】同じく、アタッチメントが下側に固定された場合の、留め具打込み装置の斜視図である。
【図７】同じく、アタッチメントを分離して示す、留め具打込み装置の斜視図である。
【図８】同じく、留め具集合体の斜視図である。
【図９】同じく、留め具の斜視図である。
【図１０】同じく、留め具の拡大断面図である。
【図１１】同じく、留め具において、連設部が繋ぎ部に当接するまで、釘部を筒部に挿入したのきの、拡大断面図である。
【図１２】ホルダーに装着された留め具集合体を示す、斜視図である。
【図１３】従来の手動タッカを示す、断面図である。
【発明を実施するための形態】
【００２２】
以下、この発明に係る留め具打込み工具、および留め具打込み装置を実施するための形態を図面に基づいて説明する。
【００２３】
図１〜図１２は、本発明の一実施の形態を示す。図中符号１は、打込み面を示す。２は、電線等のケーブルを示す。３は、留め具を示す。４は、留め具集合体を示す。５は、留め具打込み工具を示す。６は、留め具打込み装置を示し、この留め具打込み装置６は、前記留め具打込み工具５と、複数の前記留め具３、３とからなる。
【００２４】
留め具打込み工具５は、留め具３に備わる釘部３ａを打込み面１に打ち込むように、留め具３を打ち出す、打込み工具である。この留め具打込み工具５は、本体７と、打込み面１に対して本体７の姿勢を保持するために、その打込み面１に当接する姿勢保持部８とを備える。そして、本体７は、留め具３が複数並んで収容される弾装部９と、その弾装部９に収容された留め具３、３をその並ぶ一方の方向（詳しくは、後述するストッパー面１０ｂに向かう方向）に送り出す送出し機構１０と、打撃ドライバ１１と、操作ハンドル１２と、連動機構１３とを、備える。ここで、打撃ドライバ１１は、留め具３、３のうちの送り出される方向の端に位置する留め具３を射出口１４から打込み面１に向けて打ち出すものである。操作ハンドル１２は、打撃ドライバ１１のある側に位置するハンドル軸１５（詳しくは、打込み面１に平行となるハンドル軸１５）を中心に、回動可能に軸支され、打撃ドライバ１１から離れた側に延びて（詳細には、ハンドル軸１５に垂直な面に沿うとともに打撃ドライバ１１から離れた側に延びて）手で操作されるものである。連動機構１３は、操作ハンドル１２の、打込み面１側への回動移動に連動して、打撃ドライバ１１を打込み面１から離れた側に移動させ（図２参照）、その回動移動の終端部で（図３参照）、打撃ドライバ１１で留め具３を打ち出すようその打撃ドライバ１１を打込み面１側に移動させるものである（図４参照）。
【００２５】
そして、姿勢保持部８は、打撃ドライバ１１の、留め具３を打込み面１に向けて打ち出す打出し方向Ｐが、操作ハンドル１２の延びる側に傾くよう（つまり、打込み面１に向かって垂直に下降する方向に対して、操作ハンドル１２の延びる側に傾くよう）、本体７に設けられる。詳細には、姿勢保持部８は、打撃ドライバ１１側に位置する第１姿勢保持部８０１と、打撃ドライバ１１から離れた、操作ハンドル１２の延びる側に位置する第２姿勢保持部８０２とを備える。そこで、第１姿勢保持部８０１と第２姿勢保持部８０２のうち少なくとも第２姿勢保持部８０２（図示実施の形態においては、第１姿勢保持部８０１と第２姿勢保持部８０２の両方）が、本体７から打込み面１側に突出するとともに、第２姿勢保持部８０２は、本体７が、打撃ドライバ１１側よりも操作ハンドル１２の延びる側が打込み面１から離間した傾斜姿勢となるよう、第１姿勢保持部８０１よりも突出している。
【００２６】
また、図示実施の形態においては、留め具３は、ケーブル２を打込み面１に固定するためのものである。したがって、留め具打込み工具５は、留め具３に備わる釘部３ａを打込み面１に打ち込んでその留め具３によりケーブル２を打込み面１に固定するように、その留め具３を打ち出すものである。そして、第１姿勢保持部８０１においては、本体７から打込み面１側に突出するとともに、前記ケーブル２を跨いで打込み面１に当接するようそのケーブル２を受け入れる凹部８ａを有する。同様に、第２姿勢保持部８０２は、前記ケーブル２を跨いで打込み面１に当接するようそのケーブル２を受け入れる凹部８ｂを有する。
【００２７】
また、第１姿勢保持部８０１の凹部８ａの底面は、前記ケーブル２を打込み面１側に抑え込む抑え込み面となっている。同様にして、第２姿勢保持部８０２の凹部８ｂの底面は、前記ケーブル２を打込み面１側に抑え込む抑え込み面となっている。そして、第２姿勢保持部８０２の凹部８ｂの幅は、第１姿勢保持部８０１の凹部８ａの幅よりも大きく形成される。
【００２８】
また、第１姿勢保持部８０１と第２姿勢保持部８０２とは、少なくとも、それら第１姿勢保持部８０１と第２姿勢保持部８０２との間の中央位置より第２姿勢保持部８０２側において、本体７と打込み面１との間に、先に打ち込まれてケーブル２を固定している留め具３を受け入れる間隔を有するように形成される。
【００２９】
具体的には、留め具３は、前記釘部３ａを有する金属製の釘体３ｂと、合成樹脂製の基体３ｃとを備えている。そして、釘部３ａが基体３ｃ（詳しくは、後述する筒部３ｆ）に挿入されることで、釘体３ｂは、基体３ｃに組み付けられている。ここにおいて、留め具３は、複数の留め具３、３が、基体３ｃ部分で、分断可能な結合部４ａにより連結された、留め具集合体４となっている。
【００３０】
ここで、釘体３ｂは、相対向位置する一対の前記釘部３ａ、３ａと、それら釘部３ａ、３ａを一端で繋ぐ連設部３ｄとからなって、略コ字状に形成されている。また、基体３ｃは、相対向位置して内部が前記釘部３ａが挿入される挿入部３ｅとなる一対の筒部３ｆ、３ｆと、それら筒部３ｆ、３ｆを、釘体３ｂの連設部３ｄのある側で繋ぐ繋ぎ部３ｇとを備えて、略コ字状に形成されている。そして、その繋ぎ部３ｇと打込み面１との間の前記筒部３ｆ、３ｆ間が、ケーブル２が通る配置空間３ｈとなる。
【００３１】
また、釘体３ｂは、その釘部３ａを前記筒部３ｆ（詳しくは、挿入部３ｅ）に挿入して、連設部３ｄが前記繋ぎ部３ｇに当接したときの、筒部３ｆからの釘部３ａの突出高さ３ｉが、その釘部３ａが突出する筒部３ｆの先端から連設部３ｄが前記繋ぎ部３ｇに当接する面までの高さ３ｊ以上となっている（図１１参照）。そして、前記結合部４ａは、繋ぎ部３ｇに設けられた第１結合部４ｂと、一対の筒部３ｆ、３ｆにおけるそれら筒部３ｆ、３ｆの先端から前記配置空間３ｈの高さ３ｋ（図１０参照）の半分の位置までの所要の位置（図示実施の形態においては、筒部３ｆの先端）に設けられた第２結合部４ｃとを備える（図８、図９参照）。詳細には、第１結合部４ｂは、繋ぎ部３ｇの延びる方向に離れるようにして一対設けられている。したがって、基体３ｃ、３ｃ、ひいては留め具３、３は、一対の第１結合部４ｂ、４ｂと一対の第２結合部４ｃ、４ｃとの四箇所で互いに連結される。
【００３２】
留め具打込み工具５の本体７においては、弾装部９は、本体７の底壁７ａに沿って前後に長手となるように設けられる。そこで、留め具集合体４は、留め具３の並ぶ方向が弾装部９の長手方向となる向きでその弾装部９に収容される。そして、底壁７ａの前端部分に、前記射出口１４が設けられる。
【００３３】
送出し機構１０は、留め具集合体４（複数の留め具３、３）を送り出す方向Ｑ（弾装部９の長手方向であって前方に向かう方向）へと付勢する付勢手段１０ａと、その付勢手段１０ａに抗して、留め具集合体４（複数の留め具３、３）をその送り出す方向Ｑの先端で止めるストッパー面１０ｂとを備える（図３参照）。そして、ストッパー面１０ｂには、留め具集合体４における結合部４ａの分断部分を逃がす逃がし部（図示せず）が設けられる。詳細には、ストッパー面１０ｂは、本体７の前壁７ｂの内面からなり、この前壁７ｂは、底壁７ａに対し垂直となるよう設けられる。そして、逃がし部は、ストッパー面１０ｂに設けられた、溝等の凹部からなる。詳細には、留め具集合体４は、ホルダー１６に装着されて、前記弾装部９に収容される。このホルダー１６は、ホルダー本体１６ａと、前記送り出す方向Ｑに延びる案内棒１６ｂと、その案内棒１６ｂによって前記送り出す方向Ｑに案内される押し部材１６ｃと、その押し部材１６ｃを前記送り出す方向Ｑに付勢するコイルスプリング１６ｄ（付勢手段１０ａ）とを備える。そこで、留め具集合体４は、押し部材１６ｃを通じて、前記送り出す方向Ｑへと付勢される。
【００３４】
打撃ドライバ１１は、前記送り出す方向Ｑに対し、垂直方向（図示実施の形態においては、前壁７ｂに沿う方向）にスライド可能となっている。そして、打撃ドライバ１１が、上方（打込み面１から離れた側）に移動したときには、留め具集合体４は、ストッパー面１０ｂに当接し、打撃ドライバ１１は、留め具集合体４の前端の留め具３（つまり、前記送り出す方向Ｑの先端に位置する留め具３）の上方に位置する（図１参照）。また、打撃ドライバ１１が、留め具３を打ち出すように下方（打込み面１に近づいた側）に移動したときには、留め具集合体４（詳しくは、打ち出された留め具３の後方に控える留め具３）は、打撃ドライバ１１の後面に当接する（図４参照）。
【００３５】
操作ハンドル１２は、横断面略コ字状に形成される。そして、本体７（詳しくは、後述するケース７ｇ）の前側に、操作ハンドル１２を回動可能に軸支する前記ハンドル軸１５が設けられ、操作ハンドル１２は、本体７の後ろ側に延びている。この操作ハンドル１２には、前側に親指と人差し指とが跨ぐようにして掛けられ、後ろ側に手の平が載せられる。そして、本体７に設けられた指掛け部７ｃに、人差し指から小指までの先端が掛けられる。
【００３６】
連動機構１３は、第１レバー１３ａと第２レバー１３ｂとスプリング受け１３ｃとからなるリンク機構を備える。第１レバー１３ａは、第１軸部１３ｄで本体７の後述するケース７ｇに回動可能に軸支される。この第１レバー１３ａは、後端にローラ１３ｅが設けられ、そのローラ１３ｅが、操作ハンドル１２の裏面に当接する。そして、この第１レバー１３ａは、スプリング１３ｆ（詳しくは、コイルスプリング）により回動方向（図において、反時計回り方向）に付勢される。第２レバー１３ｂは、第２軸部１３ｇで第１レバー１３ａに回動可能に軸支される。この第２レバー１３ｂには、所定の回動位置を越えて回動（図において、反時計回り方向に回動）することのないように、第１レバー１３ａの係止部１３ｈに係止される被係止部１３ｉが設けられている（図２〜図４参照）。そして、この第２レバー１３ｂは、スプリング（図示せず）により、回動方向（図において、反時計回り方向）に付勢される。スプリング受け１３ｃは、打撃ドライバ１１に打込み力を付与するための打撃スプリング１３ｊを受けるためのものであって、打撃ドライバ１１と一体となって移動する。このスプリング受け１３ｃには、後方に突出する被係合部１３ｋが設けられており、この被係合部１３ｋと、第２レバー１３ｂの先端部分の係合部１３ｍとが係合する。
【００３７】
そこで、操作ハンドル１２が打込み面１から離れた側となる回動位置（図１参照）から、操作ハンドル１２を押圧して、打込み面１側へと回動移動させると、第１レバー１３ａを介して、第２レバー１３ｂの係合部１３ｍが、スプリング受け１３ｃの被係合部１３ｋに係合して、そのスプリング受け１３ｃ、ひいては打撃ドライバ１１は、打撃スプリング１３ｊの付勢力に抗して、打込み面１から離れた側に引き上げられる（図２、図３参照）。この際、操作ハンドル１２の、打込み面１側への回動移動の途中で、第２レバー１３ｂの被係止部１３ｉが第１レバー１３ａの係止部１３ｈに係止されて（図２参照）、第１レバー１３ａと第２レバー１３ｂとが一体となって回動（図において、時計回り方向に回動）し、操作ハンドル１２の回動移動の終端部で、第２レバー１３ｂの係合部１３ｍが、スプリング受け１３ｃの被係合部１３ｋから外れる（図３参照）。これに先立ち、留め具集合体４（留め具３）が、送出し機構１０により、ストッパー面１０ｂに当接するまで送り出されている。そこで、打撃スプリング１３ｊの付勢力により、スプリング受け１３ｃ、ひいては打撃ドライバ１１が、打込み面１側に急速に移動し、その打撃ドライバ１１により、ストッパー面１０ｂに当接している留め具３は、打込み面１に向かって打ち出される（図４参照）。
【００３８】
その後、操作ハンドル１２に掛けた手を緩めると、操作ハンドル１２は、スプリング１３ｆの付勢力により、打込み面１から離れた側に回動移動し、これに伴って、第２レバー１３ｂが打込み面１側に移動し、最初の状態（図１参照）と同様の状態となる。
【００３９】
詳細には、本体７は、前記底壁７ａおよび前壁７ｂ、さらには、上壁７ｄ、後壁７ｅ、左右の側壁７ｆ、７ｆを有するケース７ｇを備えている。そして、このケース７ｇ内に、前述した、弾装部９、送出し機構１０、打撃ドライバ１１、連動機構１３が設けられ、ケース７ｇの上部に、操作ハンドル１２が取り付けられる。
【００４０】
そして、ケース７ｇの前端下部に、前記第１姿勢保持部８０１を有する第１姿勢保持部材１７が取付け固定され、後部側の下部に、前記第２姿勢保持部８０２を有する第２姿勢保持部材１８が取付け固定される。より詳細には、第１姿勢保持部材１７は、一対の側板１７ａ、１７ａと、それら側板１７ａ、１７ａを繋ぐとともに第１姿勢保持部８０１を有する前板１７ｂとを備える。そこで、第１姿勢保持部材１７は、側板１７ａが側壁７ｆに被り、前板１７ｂが前壁７ｂに被るようにして、ケース７ｇに固定される。また、第２姿勢保持部材１８は、一対の側板１８ａ、１８ａと、それら側板１８ａ、１８ａの下部部分を繋ぐとともに第２姿勢保持部８０２を有する前板１８ｂとを備える。そこで、第２姿勢保持部材１８は、側板１８ａが側壁７ｆに被り、前板１８ｂが、底壁７ａの下方を横切るようにして、ケース７ｇに固定される。ここで、第２姿勢保持部材１８（第２姿勢保持部８０２）は、弾装部９よりも後ろ側（つまり、弾装部９よりも第１姿勢保持部８０１から離れた側）に位置する。これにより、留め具集合体４（留め具３）を、本体７の底壁７ａ側から弾装部９に挿入する場合に、第２姿勢保持部材１８（第２姿勢保持部８０２）が邪魔になることがない。
【００４１】
ところで、この留め具打込み工具５は、前記ケーブル２よりも横断面が小さい外形の小ケーブル（図示せず）に対応できるように、アタッチメント１９を備える。このアタッチメント１９は、前記小ケーブルを挟む一対の突設部１９ａ、１９ａを有して、それら突設部１９ａ、１９ａが前記第１姿勢保持部８０１の凹部８ａの幅を狭めるように配置される。そして、アタッチメント１９は、前記突設部１９ａの先端が第１姿勢保持部８０１の先端と同一面から小ケーブルの高さの半分までの範囲内の高さに位置するように（図示実施の形態においては、突設部１９ａの先端が第１姿勢保持部８０１の先端と同一面となる高さに位置するように）、本体７に固定可能となっている。
【００４２】
詳細には、アタッチメント１９は、一対の側板１９ｂ、１９ｂと、それら側板１９ｂ、１９ｂを繋ぐとともに前記突設部１９ａを有する連設板１９ｃとを備えた断面略コ字状に形成される。そして、アタッチメント１９は、側板１９ｂが第１姿勢保持部材１７の側板１７ａに被り、連設板１９ｃが第１姿勢保持部材１７の前板１７ｂに被るようにして、本体７（詳しくは、第１姿勢保持部材１７）に固定される。このアタッチメント１９は、本体７に対し、打込み面１から離れた側（上側）と近づいた側（下側）との二箇所で固定可能となっており、上側に固定された場合には、第１姿勢保持部８０１が露出し、その第１姿勢保持部８０１でケーブル２を位置決めすることができる（図１〜図５参照）。そして、アタッチメント１９が、下側に固定された場合には、突設部１９ａで第１姿勢保持部８０１の凹部８ａの幅が狭まり、その突設部１９ａで小ケーブルを位置決めすることができる（図６参照）。すなわち、アタッチメント１９が、下側に固定された場合に、アタッチメント１９は、突設部１９ａの先端が第１姿勢保持部８０１の先端と同一面から小ケーブルの高さの半分までの範囲内の高さに位置する（図示実施の形態においては、突設部１９ａの先端が第１姿勢保持部８０１の先端と同一面となる高さに位置する）。
【００４３】
より詳細には、アタッチメント１９は、バネ性を有して、両側板１９ｂ、１９ｂが弾性的に離間可能となっている。そして、各側板１９ｂには、長孔１９ｄと、第１孔１９ｅおよび第２孔１９ｆが設けられている。そこで、アタッチメント１９が上側に位置するとき、本体７（詳しくは、第１姿勢保持部材１７の側板１７ａ）に設けられたガイドピン１７ｃが、長孔１９ｄの下端部に挿入され、本体７（詳しくは、第１姿勢保持部材１７の側板１７ａ）に設けられたピン１７ｄが第１孔１９ｅに挿入される。そして、アタッチメント１９が下側に位置するとき、前記ガイドピン１７ｃが、長孔１９ｄの上端部に挿入され、前記ピン１７ｄが第２孔１９ｆに挿入される。また、アタッチメント１９の側壁１９ｂには、掛止爪１９ｇが設けられており、その掛止爪１９ｇが、本体７に設けられた掛止部１７ｅ（詳しくは、第１姿勢保持部材１７の側板１７ａの後方縁部）に掛け止められる。
【００４４】
図示実施の形態においては、長孔１９ｄは、打撃ドライバ１１の移動方向に沿って上下に延びる縦孔１９ｈと、その縦孔１９ｈの下端から前方に延びる第１横孔１９ｉと、その縦孔１９ｈの上端から前方に延びる第２横孔１９ｊとで、略コ字状に形成されている。そこで、ガイドピン１７ｃは、アタッチメント１９が上側に位置するとき、第１横孔１９ｉに挿入され、アタッチメント１９が下側に位置するとき、第２横孔１９ｊに挿入される。そして、このガイドピン１７ｃの突出長よりも、ピン１７ｄの突出長が低く形成されている。そこで、アタッチメント１９の両側板１９ｂ、１９ｂを離間させるようにして、掛止爪１９ｇを掛止部１７ｅから外すとともに、ピン１７ｄを第１孔１９ｅあるいは第２孔１９ｆから外し、ガイドピン１７ｃが第１横孔１９ｉあるいは第２横孔１９ｊから縦孔１９ｈに達するようにアタッチメント１９を前方に移動させれば、縦孔１９ｈ内を相対移動するガイドピン１７ｃに案内されて、アタッチメント１９は、上下に移動可能となる。
【００４５】
なお、ケーブル２と小ケーブルの組み合わせは、種々のものが考えられ、例えば、ケーブル２が、３芯のケーブルであるのに対し、小ケーブルが、２芯のケーブルであってもよい。また、ケーブル２と小ケーブルは、いずれもＶＶＦケーブルであってもよい。そして、第１姿勢保持部８０１と、アタッチメント１９（詳しくは、突設部１９ａ）とは、ケーブル２の中心と小ケーブルの中心が略同一となるように設けるのがよい。
【００４６】
次に、以上の構成からなる留め具打込み工具５、および留め具打込み装置６の作用効果について説明する。この留め具打込み工具５および留め具打込み装置６によると、操作ハンドル１２は、打撃ドライバ１１のある側が、ハンドル軸１５となって、打撃ドライバ１１から離れた側に延びている。そこで、操作ハンドル１２を手で打込み面１側に回動移動させると、連動機構１３により、打撃ドライバ１１は、打込み面１から離れた側に移動する（図１〜図３参照）。そして、操作ハンドル１２の打込み面１側への回動移動の終端部で、打撃ドライバ１１は、留め具３を打ち出すよう打込み面１側に移動する（図３〜図４参照）。こうして、留め具３は、射出口１４から打ち出され、その釘部３ａが打込み面１に打ち込まれる。そして、釘部３ａが打込み面１に打ち込まれることで、この留め具３によって、ケーブル２が打込み面１に固定される。ここで、留め具打込み工具５は、本体７の姿勢を保持するために打込み面１に当接する姿勢保持部８を備えている。この姿勢保持部８により、打撃ドライバ１１側よりも操作ハンドル１２の延びる側が打込み面１から離間した傾斜姿勢となり（言い換えれば、この姿勢保持部８により、打撃ドライバ１１の、留め具３を打込み面１に向けて打ち出す打出し方向Ｐが、操作ハンドル１２の延びる側に傾き）、つまり、留め具打込み工具５が前傾姿勢となり、操作ハンドル１２に掛けた手の位置が、射出口１４の直上側に寄る。このため、留め具３を打込み面１に打ち込んだときの反動に抗して、手で、この留め具打込み工具５を打込み面１に強く押し付けることができる。
【００４７】
すなわち、この留め具打込み工具５、および留め具打込み装置６によれば、姿勢保持部８により、操作ハンドル１２に掛けた手の位置を、射出口１４の直上側に寄らせることで、手で、この留め具打込み工具５を打込み面１に強く押し付けることができ、反動による留め具打込み工具５の跳ね上がりを抑えて、留め具３を打込み面１にしっかりと打ち込むことができる。
【００４８】
また、姿勢保持部８にあっては、第１姿勢保持部８０１と第２姿勢保持部８０２とは、少なくとも、それら第１姿勢保持部８０１と第２姿勢保持部８０２との間の中央位置より第２姿勢保持部８０２側において、本体７と打込み面１との間に、先に打ち込まれてケーブル２を固定している留め具３を受け入れる間隔を有するように形成される。これにより、ケーブル２を順次留め具３で固定していく場合に、先に打ち込まれた留め具３を少なくとも第１姿勢保持部８０１と第２姿勢保持部８０２との間の中央位置より第２姿勢保持部８０２側に位置するようにして、次の留め具３を打ち込むことができる。
【００４９】
また、第１姿勢保持部８０１に加えて、第２姿勢保持部８０２もまた、ケーブル２を跨いで打込み面１に当接するようケーブル２を受け入れる凹部８ｂを有する。こうして、第１姿勢保持部８０１だけでなく、第２姿勢保持部８０２が、ケーブル２を跨いで打込み面１に当接することで（つまり、第１姿勢保持部８０１の二箇所と、第２姿勢保持部８０２の二箇所の、計四箇所で打込み面１に当接することで）、打込み面１に対する本体７の姿勢を安定させることができる。
【００５０】
また、第２姿勢保持部８０２の凹部８ｂの幅は、第１姿勢保持部８０１の凹部８ａの幅よりも大きく形成されている。このため、第２姿勢保持部８０２は、ケーブル２の曲がり癖に対して、幅をもって対応することができる。
【００５１】
また、第１姿勢保持部８０１の凹部８ａの底面は、ケーブル２を打込み面１側に抑え込む抑え込み面となっている。同様に、第２姿勢保持部８０２の凹部８ｂの底面は、ケーブル２を打込み面１側に抑え込む抑え込み面となっている。こうして、第１姿勢保持部８０１の凹部８ａにおいても、また、第２姿勢保持部８０２の凹部８ｂにおいても、その底面でケーブル２を押さえ込むことで、曲がり癖のあるケーブル２の姿勢を正すことができる。
【００５２】
また、送出し機構１０は、付勢手段１０ａと、その付勢手段１０ａに抗して、留め具集合体４（留め具３）をその送り出す方向Ｑの先端で止めるストッパー面１０ｂとを備えており、ストッパー面１０ｂには、留め具集合体４における結合部４ａの分断部分を逃がす逃がし部が設けられる。このため、留め具集合体４において、送り出す方向Ｑの先端に結合部４ａの分断部分が残っていても、その分断部分を逃がし部で逃がすことができ、留め具集合体４の先端の留め具３を打撃ドライバ１１の直下に正確に配置することができる。
【００５３】
また、この留め具集合体４においては、結合部４ａは、繋ぎ部３ｇに設けられた第１結合部４ｂと、一対の筒部３ｆ、３ｆにおけるそれら筒部３ｆ、３ｆの先端から配置空間３ｈの高さの半分の位置までの所要の位置に設けられた第２結合部４ｃとを備えている。こうして、結合部４ａが、第１結合部４ｂと一対の第２結合部４ｃ、４ｃとを備えることで、打撃ドライバ１１が、打込み面１から離れた側に移動するとき、留め具集合体４が打撃ドライバ１１と擦って湾曲しようとするのを抑えることができる。特に、図示実施の形態においては、第２結合部４ｃに加えて第１結合部４ｂもまた、一対設けられており、これら結合部４ｂ、４ｃにより、打撃ドライバ１１が、打込み面１から離れた側に移動するとき、留め具集合体４が打撃ドライバ１１と擦って湾曲しようとするのを的確に抑えることができる。
【００５４】
また、留め具打込み工具５は、アタッチメント１９を備えており、このアタッチメント１９を本体７に固定することで（図示実施の形態においては、アタッチメント１９を下側に固定することで）、横断面の小さい小ケーブルを的確に打込み面１に固定することができ、また、アタッチメント１９を用いない状態では（図示実施の形態においては、アタッチメント１９を上側に固定することで）、小ケーブルよりも横断面の大きなケーブル２を打込み面１に固定することができる。
【００５５】
なお、本発明は、上述した実施の形態に限定されるわけではなく、その他種々の変更が可能である。例えば、第１姿勢保持部８０１とか第２姿勢保持部８０２は、それらの凹部８ａ、８ｂの底面が、ケーブル２を打込み面１側に抑え込む抑え込み面となっているが、抑え込むことなく、凹部８ａ、８ｂの底面とケーブル２との間に隙間を有していてもよい。
【００５６】
また、第２姿勢保持部８０２は、凹部８ｂを有するが、この凹部８ｂを有することなく、ケーブル２を挟む一方のみに突出するように、第２姿勢保持部８０２が設けられてもよい。
【００５７】
また、ケーブル２は、本体７と打込み面１との間で、第１姿勢保持部８０１から第２姿勢保持部８０２に渡っていなくとも、第１姿勢保持部８０１を通り、その第１姿勢保持部８０１と第２姿勢保持部８０２との間で、横に折れて本体７から離れてもよい。
【００５８】
また、留め具打込み工具５は、アタッチメント１９を備えるが、このアタッチメント１９は、なくてもよい。
【００５９】
また、留め具３は、打込み面１にケーブル２を固定するためのものであって、釘体３ｂと基体３ｃとを備えているが、基体３ｃを備えることなく釘体３ｂのみからなって、打込み面１を有する固定物を被固定物に固定するためのものであってもよい。すなわち、釘体３ｂからなる留め具が、固定物および被固定物に打ち込まれることで、固定物が被固定物に固定されてもよい。この場合、当然に、第１姿勢保持部８０１と第２姿勢保持部８０２とは、凹部８ａ、８ｂを有する必要はなく、また、第１姿勢保持部８０１は、本体７から突出して形成されなくともよい。さらに、第１姿勢保持部８０１および第２姿勢保持部８０２が本体７から突出することなく、姿勢保持部８が、本体７の傾斜する底面からなっていても構わない。
【符号の説明】
【００６０】
１  打込み面
２  ケーブル
３  留め具
３ａ  釘部
３ｂ  釘体
３ｃ  基体
３ｄ  連設部
３ｅ  挿入部
３ｆ  筒部
３ｇ  繋ぎ部
３ｈ  配置空間
３ｉ  釘部の突出高さ
３ｊ  筒部の先端から連設部が繋ぎ部に当接する面までの高さ
３ｋ  配置空間の高さ
４  留め具集合体
４ａ  結合部
４ｂ  第１結合部
４ｃ  第２結合部
５  留め具打込み工具
６  留め具打込み装置
７  本体
８  姿勢保持部
８０１  第１姿勢保持部
８ａ  凹部
８０２  第２姿勢保持部
８ｂ  凹部
９  弾装部
１０  送出し機構
１０ａ  付勢手段
１０ｂ  ストッパー面
１１  打撃ドライバ
１２  操作ハンドル
１３  連動機構
１４  射出口
１５  ハンドル軸
１９  アタッチメント
１９ａ  突設部
Ｐ  打出し方向
Ｑ  送り出す方向
【図１】
0006681783.tif 000002
【図２】
0006681783.tif 000003
【図３】
0006681783.tif 000004
【図４】
0006681783.tif 000005
【図５】
0006681783.tif 000006
【図６】
0006681783.tif 000007
【図７】
0006681783.tif 000008
【図８】
0006681783.tif 000009
【図９】
0006681783.tif 000010
【図１０】
0006681783.tif 000011
【図１１】
0006681783.tif 000012
【図１２】
0006681783.tif 000013
【図１３】
0006681783.tif 000014